(57)【要約】【課題】面方向に空洞を備えるシート状フェルトを提供する。【解決手段】羊毛繊維を調合し、カード機（図示せず）によりウエブ（700ｍｍ×1000ｍｍ、620ｇ／ｍ2）１１、１３を作成する。ウエブ１１上にウエブの幅に相当する長さのPPバンド（荷造りひも）を12本並べ、その上にウエブ１３を重ねる。シャワーで水を適量、散布し、次にウエブ全体をハーダー盤の下布上に配置する。そして、上から上布、フェルトをかぶせ、上下の熱盤ではさんで縮充する。縮充後、フェルトを自然乾燥し、PPバンドを抜き取ると、空洞１５を備えるフェルト１０が完成する。空洞内に、針金等の支持体を入れれば立体形状に成形できる。また、貴陽石を入れたベッドマットにもできる。【選択図】図１
2007284804.tif 000002
【特許請求の範囲】
【請求項１】
表面方向に、一辺部から対向する辺部に至る空洞を備えていることを特徴とするシート状フェルト。
【請求項２】
前記空洞は、一辺部から対向する辺部へ向けて有底状に形成されていることを特徴とする請求項１記載のシート状フェルト。
【請求項３】
前記空洞は、複数設けられていることを特徴とする請求項１又は２記載のシート状フェルト。
【請求項４】
前記空洞内には、間隔を置いて粒状体が挿入されていることを特徴とする請求項１又は２記載のシート状フェルト。
【請求項５】
前記粒状体は、貴陽石であることを特徴とする請求項４に記載のシート状フェルト。
【請求項６】
前記空洞内に、針金状あるいは弾性を有するプラスチック製である棒状体が挿入されていることを特徴とする請求項１又は２記載のシート状フェルト。
【請求項７】
前記空洞内に、発光体が挿入されている請求項１又は２記載のシート状フェルト。
【請求項８】
前記発光体は、LEDであることを特徴とする請求項6記載のシート状フェルト。
【請求項９】
所望の繊維からなるウエブ上に、帯状体をウエブの一辺から対向する辺へ向けて配置し、その上に前記ウエブと同形の他のウエブを重ねて縮充後、前記帯状体を引き抜いて空洞を形成することを特徴とするシート状フェルトの製造方法。
【発明の詳細な説明】
【技術分野】
【０００１】
本発明は、フェルト表面に、少なくとも１本の空洞（中空部、例えばチューブ状）が設けられたシート状のフェルト及びその製法に関するものである。
【背景技術】
【０００２】
フェルトは、家庭用品、事務用品、工業製品等として一般的に使用されている。フェルトは、天然繊維、化学繊維、及び合繊を原料として製造され、完成品はシート状の形態で使用されることが多い。そして、その製法の違いにより、プレスフェルト、ニードルフェルト、成型フェルト等と呼ばれている。
【発明の開示】
【発明が解決しようとする課題】
【０００３】
また、シート状のフェルトは、その使用目的に応じて所定の形状に切断されて使用されるが、例えば、シート状のフェルトは平面をそのまま利用してマットレスの中の部材の一部として使われることはあっても、シート自体に機能を持たせて寝具として使用される例は一般的でなかった。従来、シーツ類には、突起を利用した指圧効果を得たい場合があるが、その場合、シーツ自体にさらに突起を設けるか、あるいは突起物を設けたシーツを収納する袋状体を別に用意する必要があった（特許文献１及び特許文献２参照）。
また、従来のシート状フェルトは、そのままの状態で使用されるが、フェルトの質感や感触を生かして、立体状のものを作ろうとしても、フェルト自体に柔軟性があるため、他の支持体を利用してその上に「貼る」、「縫う」等する以外は、困難であった。
これらの問題に対応するため、フェルト内部に他の物体を挿入できるようにする必要があった。
【０００４】
【特許文献１】実開平7−7569号公報
【特許文献２】実開昭62−21975号公報
【課題を解決するための手段】
【０００５】
本発明は上記課題を解決するためになされたものであって、フェルトの表面に沿って、１あるいは複数の空洞（中空部、例えばチューブ状）を設けたシート状フェルトの工業的に提供を目的とする。
本発明に係るシート状フェルトは、一辺部から対向する辺部に至る空洞を備えていることを特徴とする。上記空洞は略一様な形状をしており、一辺部から対向する辺部へ向けて有底状であってもよい。上記空洞は略一様な形状をしており、その中に固体、例えば粒状体、棒状体、発光体等を後加工で挿入可能である。
さらに本発明において、上記空洞は、複数設けられていることを特徴とする。
また、本発明の一態様では、上記空洞内には、間隔を置いて粒状体が挿入されており、上記粒状体は、貴陽石であってよい。
そして、本発明の他の態様では、上記空洞内に、針金状あるいは弾性を有するプラスチック製である棒状体が挿入されることを特徴とする。
さらに本発明の他の態様では、上記空洞内に、発光体が挿入されており、上記発光体は、LEDであることを特徴とする。
さらに、本発明は、シート状フェルトの製造方法であって、所望の繊維からなるウエブ上に、帯状体をウエブの一辺から対向する辺へ向けて配置し、その上に上記ウエブと同形の他のウエブを重ねて縮充後、上記帯状体を引き抜いて空洞を形成することを特徴とする。前記帯状体は、プラスチック製であってもよい。
【発明の効果】
【０００６】
シート状フェルトの空洞の内部に種々のものを挿入することにより、いろいろな効果が得られる。例えば、空洞内に粒状体を、間隔をおいて挿入し、突起を形成したシート状フェルトの場合には、シーツの下に敷いてフェルトの柔軟さと粒状体の突起の効果により、マッサージ効果が得られる。また、空洞内に針金や折り曲げ可能な金属棒、成型可能な弾性のあるプラスチック棒を挿入した場合には、フェルト自体の柔軟性や吸湿性を失うことなく、フェルトの成形が容易になり、立体的なものを作ることが可能であって、例えば、スタンドの笠、パーティション等に利用できる。従来、フェルトを用いて立体形状化するために、「貼る」、「縫う」といった工程が必要であったが、本発明はそれらの工程を省くことによって、作業を単純化し、製造コストの削減が図れる。
本発明のシート状フェルトは、空洞部にLED、電球等の発光体を、挿入して発光させることにより、照明器具として利用可能である。
【発明を実施するための最良の形態】
【０００７】
以下、本発明の実施の形態を説明する。
本発明のシート状フェルトを得るための概略の工程を説明する。図１に示すように、羊毛繊維（あるいは、レーヨン、カシミヤ、シルク等の繊維との混紡されたもの）を調合してカード機にかけ作成されたウエブ11を広げ、該ウエブ上にウエブの幅の長さに切断されたポリプロピレンからなる帯状体（例えば、荷造り紐のような形態）を、ウエブの一辺から他辺に向けて等間隔に配置する。その上に、上記と同様なウエブ１３を重ねて置き、シャワーで水を散布した後、縮充機により縮充する。縮充工程において、帯状体がある部分は縮充されないので、縮充工程終了後、帯状体を引き抜くと、その跡が空洞（中空部）となり、空洞部15を有するシート状フェルト10が出来上がる。
【０００８】
次に、本発明のシート状フェルトの製造方法を図１に基づき、より詳細に説明する。フェルトの材料として例えば羊毛繊維を調合し、カード機（図示せず）によりウエブ１１、１３を作成する。ここでは、700ｍｍ×1000ｍｍ、620ｇ／ｍ2のウエブ１１，１３を２枚作成した。１枚のウエブ１１上にウエブの幅に相当する長さのポリプロピレンからなる帯状体１２を等間隔に12本並べ、その上にウエブ１３を重ねて配置する。そして、上からシャワーで水を適量、散布する。次にウエブ全体を図２に示すように、ハーダー盤２０の下布２４上に配置する。そして、上から上布２３、フェルト２２をかぶせ、上下の熱盤２１ではさんで縮充する。縮充圧力（エキセン、すなわち回転軸の偏芯幅）を６、もみ時間は5分とした。出来上がった空洞１５を備えるシート状フェルト１０（aに示される）の縮充後の質量は１２４０ｇ、厚さは４．８ｍｍ〜５．２ｍｍであり、空洞部１５（bに拡大して示される）の箇所は、５．３ｍｍ〜５．７ｍｍである。縮充後、フェルトを自然乾燥し、帯状体が抜き取られる。以下、このフェルト１０を「空洞フェルト」という。
【０００９】
図１の例では、ウエブ１１上に帯状体１２が、一辺から対向する辺に向けて端部から端部へ置かれたが、図２（a）に示すように、帯状体１２を一辺から対向辺に向けて対向辺に達しないように、中間部までの長さとしてもよい。その場合には、縮充後、図２(b)のように帯状体が引き抜かれると、空洞部１5が、帯状体がおかれた部分のみに形成され、図１のように貫通していない有底状の空洞部ができる。帯状体は自由におくことができるので、例えば、格子状、斜線状、斜め格子状等に帯状体を配置することにより、それらの形状からなる空洞部の形成が可能である。
【００１０】
（実施例１）
本発明の空洞フェルト１０は、図４に示すように、その空洞１５内に粒状体、例えば貴陽石のような球状にされた石３１を間隔をおいて挿入する。本実施例のものは、上記粒状体からのマイナスイオンと指圧効果を利用した、ベッドマットとして利用できる。
【００１１】
（実施例２）
図５は、空洞フェルト１０の空洞部１５にLED（発光ダイオード）４１をリード線４２により多数接続したものを挿入し、照明器具としたものである。LEDはほとんど発熱しないので、フェルトが燃えることもない。本実施例のものは、通常の照明器具の補助用として、また、ディスプレイに使用できる。
【００１２】
（実施例３）
図５は、従来のフェルトには得られない本発明の成形可能なフェルトを示すものである。空洞フェルト１０の空洞１５に針金５１を通し、全体的に折り曲げ、立体形状にしたものの例である。本実施例のものは、針金の折り曲げ可能な性質を利用しており、空洞１５の数や針金の硬度を変えることによって、立体形状の形態を変えられる。
【００１３】
（実施例４）
図６は、空洞フェルト１０の空洞１５に鉄、ステンレス、アルミニュウムを含む金属棒、針金、又は弾性を有するプラスチック製の棒状体を挿入することにより、複数枚の空洞フェルトを縦方向に接続すると共に、横方向に縫合あるいは接続金具等で接合し、金属棒６１の下部を支持台６２により支持することによって、自立型パーティションとした例である。本実施例では、フェルトの吸音性能が厚さにより変化するので、空洞フェルト１０の厚さを変えることにより、遮音性能のあるパーティションが得られる。
【図面の簡単な説明】
【００１４】
【図１】本発明の空洞フェルトの製造工程を説明する図である。
【図２】図１に示す帯状体がシート状フェルトの一辺から対向辺に向けて、中間部の位置まで伸びるように置かれた例を示す。
【図３】図１の製造工程中、縮充機の一部を説明する図である。
【図４】本発明の空洞フェルトを健康シートに利用した例を示す図である。
【図５】本発明の空洞フェルトを照明器具としての利用を説明する図である。
【図６】本発明の空洞フェルトの空洞部に支持体を挿入し、立体状の形態とした例を示す図である。
【図７】本発明の空洞フェルトをパーティションとした例を示す図である。
【符号の説明】
【００１５】
10  空洞フェルト
11、13  ウエブ
12  帯状体
15  空洞部
【図１】
2007284804.tif 000003
【図２】
2007284804.tif 000004
【図３】
2007284804.tif 000005
【図４】
2007284804.tif 000006
【図５】
2007284804.tif 000007
【図６】
2007284804.tif 000008
【図７】
2007284804.tif 000009
【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
表面方向に、一辺部から対向する辺部に至る空洞を備えていることを特徴とするシート状フェルト。
【請求項２】
前記空洞は、一辺部から対向する辺部へ向けて有底状に形成されていることを特徴とする請求項１記載のシート状フェルト。
【請求項３】
前記空洞は、複数設けられていることを特徴とする請求項１又は２記載のシート状フェルト。
【請求項４】
前記空洞内には、間隔を置いて粒状体が挿入されていることを特徴とする請求項１又は２記載のシート状フェルト。
【請求項５】
前記空洞内に、針金状あるいは弾性を有するプラスチック製である棒状体が挿入されていることを特徴とする請求項１又は２記載のシート状フェルト。
【請求項６】
前記空洞内に、発光体が挿入されている請求項１又は２記載のシート状フェルト。
【請求項７】
前記発光体は、LEDであることを特徴とする請求項６記載のシート状フェルト。
【請求項８】
所望の繊維からなるウエブ上に、帯状体をウエブの一辺から対向する辺へ向けて配置し、その上に前記ウエブと同形の他のウエブを重ねて縮充後、前記帯状体を引き抜いて空洞を形成することを特徴とするシート状フェルトの製造方法。
【手続補正２】
【補正対象書類名】明細書
【補正対象項目名】０００３
【補正方法】変更
【補正の内容】
【０００３】
また、シート状のフェルトは、その使用目的に応じて所定の形状に切断されて使用されるが、例えば、シート状のフェルトは平面をそのまま利用してマットレスの中の部材の一部として使われることはあっても、シート自体に機能を持たせて寝具として使用される例は一般的でなかった。従来、シーツ類には、突起を利用した指圧効果を得たい場合があるが、その場合、シーツ自体にさらに突起を設けるか、あるいは突起物を設けたシーツを収納する袋状体を別に用意する必要があった（特許文献１及至特許文献３参照）。そして、突起とマイナスイオン効果を併用するものもある（特許文献４参照）。
また、従来のシート状フェルトは、そのままの状態で使用されるが、フェルトの質感や感触を生かして、立体状のものを作ろうとしても、フェルト自体に柔軟性があるため、他の支持体を利用してその上に「貼る」、「縫う」等する以外は、困難であった。
これらの問題に対応するため、フェルト内部に他の物体を挿入できるようにする必要があった。
【手続補正３】
【補正対象書類名】明細書
【補正対象項目名】０００４
【補正方法】変更
【補正の内容】
【０００４】
【特許文献１】実開平7−7569号公報
【特許文献２】実開昭62−21975号公報
【特許文献３】特開2000−93465号公報
【特許文献４】実用新案登録第3086099号公報
【手続補正４】
【補正対象書類名】明細書
【補正対象項目名】０００５
【補正方法】変更
【補正の内容】
【０００５】
本発明は上記課題を解決するためになされたものであって、フェルトの表面に沿って、１あるいは複数の空洞（中空部、例えばチューブ状）を設けたシート状フェルトの工業的な提供を目的とする。
本発明に係るシート状フェルトは、一辺部から対向する辺部に至る空洞を備えていることを特徴とする。上記空洞は略一様な形状をしており、一辺部から対向する辺部へ向けて有底状であってもよい。上記空洞は略一様な形状をしており、その中に固体、例えば粒状体、棒状体、発光体等を後加工で挿入可能である。
さらに本発明において、上記空洞は、複数設けられていることを特徴とする。
また、本発明の一態様では、上記空洞内には、間隔を置いて粒状体（マイナスイオンを発生するような鉱物を除く）が挿入されてもよい。そして、本発明の他の態様では、上記空洞内に、針金状あるいは弾性を有するプラスチック製である棒状体が挿入されることを特徴とする。
さらに本発明の他の態様では、上記空洞内に、発光体が挿入されており、上記発光体は、LEDであることを特徴とする。
さらに、本発明は、シート状フェルトの製造方法であって、所望の繊維からなるウエブ上に、帯状体をウエブの一辺から対向する辺へ向けて配置し、その上に上記ウエブと同形の他のウエブを重ねて縮充後、上記帯状体を引き抜いて空洞を形成することを特徴とする。前記帯状体は、プラスチック製であってもよい。
【手続補正５】
【補正対象書類名】明細書
【補正対象項目名】００１０
【補正方法】変更
【補正の内容】
【００１０】
（実施例１）
本発明の空洞フェルト１０は、図４に示すように、その空洞１５内に粒状体、例えば球状にされた石３１を間隔をおいて挿入する。本実施例のものは、上記粒状体からのマイナスイオンと指圧効果を利用した、ベッドマットとして利用できる。